(57)【要約】【課題】従来のように製造・販売業者側においてヌメリ防止用薬剤をケースに入れて袋で密封するといった作業をする必要がなくなって、作業員の健康を損なう懸念もなくなり、また、流し台の排水口等に設けて使用する場合に、薬剤を薬剤収納用袋から取り出したり露出させた時に、薬剤の微粉末が手に付いたり周囲に飛散して人が吸引してしまうのを極力防止できるようにした薬剤収納用袋を備えたヌメリ防止具を提供することにある。【解決手段】ヌメリ防止用薬剤２を入れた薬剤収納用袋３を、開口部９と複数の通気孔９ａを形成した薬剤収納ケース４に収納してなるヌメリ防止具１であり、薬剤収納用袋３は、袋素材を筒状に形成して開口した端部を密閉したものであり、薬剤収納ケース４の開口部９から薬剤収納用袋３の端部を外方に引くことにより、上記の端部が破れてヌメリ防止用薬剤２が薬剤収納用袋３から薬剤収納ケース４内に露出するようにした。【選択図】  図１
2006169869.tif 000002
【特許請求の範囲】
【請求項１】
ヌメリ防止用薬剤を入れた薬剤収納用袋を、開口部と複数の通気孔を形成した薬剤収納ケースに収納してなるヌメリ防止具であって、上記の薬剤収納用袋は、袋素材を筒状に形成して開口した両端部を密閉したものであり、この密閉した一方の端部を、薬剤収納ケースの開口部から外に出してまたは上記開口部から外に引き出し可能に設け、薬剤収納用袋の上記の一方の端部を薬剤収納ケースから外方に引くことにより、薬剤収納用袋内の他方の密閉した端部がヌメリ防止用薬剤に押されて破れ、ヌメリ防止用薬剤が薬剤収納ケース内に露出するようにした構成を特徴とするヌメリ防止具。
【請求項２】
ヌメリ防止用薬剤を入れた薬剤収納用袋を、薬剤収納ケースに収納してなるヌメリ防止具であって、上記の薬剤収納用袋は、四角形状の袋素材を中央部で二つ折りにして開口した両側端部を密閉して袋状に形成するとともに、中にヌメリ防止用薬剤を入れた後に開口している一端部を密閉し、かつ、この密閉した一端部の近傍の側端部に切欠部を形成したものであり、上記の薬剤収納ケースは、一対のカップ部を開閉可能に設け、かつ、上記カップ部の外周部の対向箇所に開口部を形成するとともに、このカップ部に複数の通気孔を形成したものであり、上記の薬剤収納用袋の両端部を、薬剤収納ケースの対向する箇所の開口部からそれぞれ外に出してまたは上記開口部から外に引き出し可能に設け、使用時に、薬剤収納用袋の一端部を切欠部から破るとともに、薬剤収納用袋の他端部を薬剤収納ケースから外方に引くことにより、ヌメリ防止用薬剤が薬剤収納ケース内に露出するようにした構成を特徴とするヌメリ防止具。
【発明の詳細な説明】
【技術分野】
【０００１】
本発明は、流し台の排水口や三角コーナー具、風呂の排水口や、その他の種々の排水口等に取り付けて、雑菌等の微生物の繁殖によって排水口等に発生するバイオフィルム（以下、ヌメリという。）を防止するヌメリ防止具に関する。
【背景技術】
【０００２】
一般に台所に設置された流し台の排水口には、排水とともにゴミが排水管に流れ込んで行かないようにストレーナーが設けてある。しかし、排水を日々繰り返しているうちに雑菌やカビ等の微生物がストレーナーに繁殖して、ぬるぬるした生物膜であるヌメリを発生させる。
【０００３】
そのため、従来から上記のヌメリの発生を防止するために、ストレーナーに吊下げておくヌメリ防止具が使用されている。このヌメリ防止具は、微生物の繁殖を防止する固形のヌメリ防止用薬剤を、紐等でストレーナーに吊下げておくケースに入れたものであり、このケースを袋に入れ密封して販売している。
【０００４】
そして、このヌメリ防止具を製造・販売するにあたっては、製造・販売業者側で、薬品メーカから購入した塩素系等のヌメリ防止用薬剤である錠剤を、従業員が手で摘んで一つづつ上記のケースに入れるとともに、このケースを袋に入れて袋の開口端部を熱溶着等によって密閉する作業が行なわれている。
【０００５】
しかしながら、上記した作業が必要な商品としての密封袋入りヌメリ防止具では、上記の作業時に薬剤の微粉末が作業中に作業員の手等の身体についたり、作業員が上記薬剤から生じる有害な塩素ガスを吸い込む懸念があり、現にくしゃみや涙が出たり、肌荒れや、吐き気、頭痛がするといった症状を訴える人もいる。そこで上記の作業を行うに当たっては、手袋やゴーグル、マスク等を身に付けて健康を害さないように気をつけて作業を行っているが、それでも、安全性の観点から上記のような作業を必要とする密封袋入りヌメリ防止具を製造することには問題があった。
【０００６】
また、上記した従来の商品として販売されている密封袋入りヌメリ防止具では、ストレーナーに吊下げて使用する際に、密封袋を破ってヌメリ防止用薬剤の入ったケースを指で摘んで取り出し、紐等でストレーナー内に吊るして使用していた。
【０００７】
そのため、密封袋を破ってヌメリ防止用薬剤の入ったケースを取り出した時に、ヌメリ防止用薬剤の表面の微粉末が手についたり、飛散して吸い込んでしまう懸念があり、衛生上および安全上の観点から問題であった。
【０００８】
なお、参考文献としては次のような特許文献等がある。
【特許文献１】特開２００３−８１７２４号公報
【特許文献２】特開２００２−２７５９７８号公報
【特許文献３】特開平８−１５７３０５号公報
【発明の開示】
【発明が解決しようとする課題】
【０００９】
本発明は上記のような点に鑑みて開発されたものであり、その目的とするところは、従来のように製造・販売業者側においてヌメリ防止用薬剤をケースに入れて袋で密封するといった作業をする必要がなくなって、作業員の健康を損なう懸念もなくなり、また、流し台の排水口等に設けて使用する場合に、薬剤を薬剤収納用袋から取り出したり露出させた時に、薬剤の微粉末が手に付いたり周囲に飛散して人が吸引してしまうのを極力防止できるようにした薬剤収納用袋を備えたヌメリ防止具を提供することにある。
【課題を解決するための手段】
【００１０】
請求項１記載の本発明は、ヌメリ防止用薬剤を入れた薬剤収納用袋を、開口部と複数の通気孔を形成した薬剤収納ケースに収納してなるヌメリ防止具であって、上記の薬剤収納用袋は、袋素材を筒状に形成して開口した両端部を密閉したものであり、この密閉した一方の端部を、薬剤収納ケースの開口部から外に出してまたは上記開口部から外に引き出し可能に設け、薬剤収納用袋の上記の一方の端部を薬剤収納ケースから外方に引くことにより、薬剤収納用袋内の他方の密閉した端部がヌメリ防止用薬剤に押されて破れ、ヌメリ防止用薬剤が薬剤収納ケース内に露出するようにした構成を特徴とするヌメリ防止具である。
【００１１】
請求項２記載の本発明は、ヌメリ防止用薬剤を入れた薬剤収納用袋を、薬剤収納ケースに収納してなるヌメリ防止具であって、上記の薬剤収納用袋は、四角形状の袋素材を中央部で二つ折りにして開口した両側端部を密閉して袋状に形成するとともに、中にヌメリ防止用薬剤を入れた後に開口している一端部を密閉し、かつ、この密閉した一端部の近傍の側端部に切欠部を形成したものであり、上記の薬剤収納ケースは、一対のカップ部を開閉可能に設け、かつ、上記カップ部の外周部の対向箇所に開口部を形成するとともに、このカップ部に複数の通気孔を形成したものであり、上記の薬剤収納用袋の両端部を、薬剤収納ケースの対向する箇所の開口部からそれぞれ外に出して、または上記開口部から外に引き出し可能に設け、使用時に、薬剤収納用袋の一端部を切欠部から破るとともに、薬剤収納用袋の他端部を薬剤収納ケースから外方に引くことにより、ヌメリ防止用薬剤が薬剤収納ケース内に露出するようにした構成を特徴とするヌメリ防止具である。
【発明の効果】
【００１２】
上記のような構成からなる本発明のヌメリ防止具では、このヌメリ防止具の製造・販売業者側の作業の過程で、従来のように露出したヌメリ防止用薬剤を手で触って取り扱うといったこともないので、健康を害することなく安全に作業を行なうことができ、また、使用者側でも流し台の排水口等に取り付けて使用する際に、薬剤収納ケースの開口部から両端部を密閉した薬剤収納用袋の一端部（または他端部）を外に引っ張ったり、或いは薬剤収納用袋の切欠部から一端部を破ることにより、簡単にヌメリ防止用薬剤を薬剤収納ケース内に露出させることができる。そのため、製造・販売業者側にとっても使用者側にとっても、薬剤の微粉末が指等の身体についたり、薬剤の取り扱い時に飛散して吸い込んでしまうといったこともなく、健康を害する懸念もなく安全に取り扱うことができる。
【発明を実施するための最良の形態】
【００１３】
以下、本発明を実施するための最良の形態を図に基いて説明する。
図１〜図６は本発明にかかる一例のヌメリ防止具に関する図であって、図示のヌメリ防止具１は、ヌメリ防止用薬剤２と、この薬剤２を収納する薬剤収納用袋３と、上記薬剤２を収納した薬剤収納用袋３を収納する薬剤収納ケース４とからなるものである。
【００１４】
ヌメリ防止用薬剤２は、ジクロロイソシアヌル酸ナトリウム、トリクロロイソシアヌル酸或いは１−ブロモ−３−クロロ−５・５−ジメチルヒダントインなどの殺菌剤、ヨードホールの一種であるポピドンヨード（ポリビニルピロリドンとヨウ素との複合体）を含有する殺菌剤、その他の種々のヌメリ防止用として使用されている薬剤の粉末を圧縮成型した錠剤である。
【００１５】
薬剤収納用袋３(図１、図３、図４参照)は、上記のヌメリ防止用薬剤２を薬剤収納ケース４に収納することができる大きさの袋であって、ＰＥ（ポリエチレン）やＰＰ（ポリプロピレン）等の易引裂き性の袋素材であるプラスチックフイルムによって図示の例では所定の大きさの長方形に形成し、かつ、この長方形の上記フイルムの長手方向の両端部を重ね合わせ、この重ね合せ部３ｃを熱溶着等により筒状に形成し、この筒状に形成した上記フイルムの中にヌメリ防止用薬剤２を挿入するとともに、開口した両端部３ａ、３ｂを熱溶着等によって密閉し、さらに一端部３ｂ側を図４に示すように丸く折り畳んだものである。また、薬剤収納用袋３の密閉した一端部３ａには、「袋を引き抜いてご使用下さい。」と表示したシール５が貼り付けてある。
【００１６】
ヌメリ防止用薬剤２を入れた密封状態の上記の薬剤収納用袋３は、この状態で、ヌメリ防止用薬剤２の製造・販売メーカーからヌメリ防止具１を製造・販売する業者に納入される。したがって、ヌメリ防止具１の製造・販売業者側では、薬剤収納ケース４に上記薬剤収納用袋３を収納する作業の際に、直接ヌメリ防止用薬剤２を触ったり、薬剤の微粉末を吸ったりするといった懸念はなくなる。
【００１７】
上記の薬剤収納ケース４(図１、図２、図５参照)は、プラスチック製であって、一部をヒンジにして二ツ割れに開閉できるように形成されものであり、二ツ割り形成された片側の横断面凹状のカップ部４ａにはヒンジ部６と反対側の縁部に係止片部７が形成され、もう片側の横断面凹状のカップ部４ｂには上記係止片部７の先端部７ａを挿入する係止用孔８がヒンジ部６と反対側の縁部に形成されている。さらに、各カップ部４ａ、４ｂの外周側部の対向する一箇所（勿論、図示省略するが２箇所以上でもよい。）には略半円形で、両カップ部４ａ、４ｂを閉じると略円形或いはやや楕円形となる開口部９が形成され、かつ、上記の側部や上面部の複数箇所に四角形や円形や楕円形やハート形等の通気孔９ａが形成されている。また、薬剤収納ケース４には、所望の箇所に吊下げられるように紐１０(図６参照)が設けてある。
【００１８】
勿論、薬剤収納ケースは、図示の例の構成に限定されるものではなく、全体形状や、開口部９の形状や形成位置、通気孔９ａの数や形状や配置は、図示の例と異なるものであってもよい。また、上記の紐１０は、鎖、針金等であってもよい。
【００１９】
ヌメリ防止具１の製造・販売業者側での作業過程では(図１、図５参照)、上記した薬剤収納ケース４の両カップ部４ａ、４ｂを開けた中に、ヌメリ防止用薬剤２を入れた薬剤収納用袋３を収納し、一方のカップ部４ａの係止片部７を他方のカップ部４ｂの係止用孔８にはめ込んで係止する。この時、薬剤収納用袋３は、密閉した一端部３ａ側を薬剤収納ケース４の側部の開口部９から図示のように外に出して薬剤収納ケース４に収納する。勿論、この一端部３ａは、薬剤収納ケース４の側部の開口部９の内側に配して、使用時に薬剤収納ケース４の外に引き出せるように薬剤収納ケース４に配して設けてもよい。
【００２０】
このように製造・販売業者側の作業過程では、上記でも説明したように露出したヌメリ防止用薬剤を直接取り扱うことがないので、薬剤の微粉末が指等の身体についたり、薬剤の取り扱いときに飛散して吸い込んでしまうといったこともなく、健康を害することことなく安全に作業をすることができる。
【００２１】
また、使用者側でこのヌメリ防止具１を取り扱う場合は、一方の手で薬剤収納ケース４を持ち、他方の手で薬剤収納用袋３の一端部３ａを引っ張る。このことにより、上記袋３の中のヌメリ防止用薬剤２が、上記袋３とともに薬剤収納ケース４の内面側に引き寄せられ、さらに上記袋３を引っ張ることによって、薬剤収納ケース４内の上記袋３の密閉した他端部３ｂを袋内から押すことになる。このことにより上記袋３の他端部３ｂは、熱溶着した箇所やその周囲から破れ、さらに上記袋３を引いて上記ケース４から完全に引き抜くことによって、ヌメリ防止用薬剤２だけが上記ケース４内に露出する。また、引き抜いた上記袋３は、袋内面についているヌメリ防止用薬剤２の微粉末が手につかないようにしてゴミとして廃棄すればよい。
【００２２】
このようにした後は、薬剤収納ケース４に一端部を結び付けてある紐１０(図６参照)を伸ばし、例えば流し台の排水口に設けたストレーナー１１の取っ手１２に紐１０を結び付けて、ヌメリ防止具１をストレーナー１１内に吊るし、このストレーナー１１を流し台の排水口に設置して使用すればよい。
【００２３】
このように使用者側でもヌメリ防止用薬剤２を手で触れることなく簡単に薬剤収納ケース内に露出させることができ、薬剤の微粉末が指等の身体についたり薬剤の微粉末が指等の身体についたり、薬剤の取り扱い時に飛散して吸い込んでしまうといったこともなく、安全に取り扱うことができる。
【００２４】
図７、図８は本発明にかかる他の例のヌメリ防止具に関する図であって、このヌメリ防止具１は、ヌメリ防止用薬剤２を収納する薬剤収納用袋３が上記の例と異なる。その他の構成は上記の例と同様であり、同様の箇所の構成については同一符合を付して説明を省略する。なお、この例における図中符合は便宜上、上記の例と同一の符合を使用する。
【００２５】
そこで、この例の薬剤収納用袋３は、長方形状等の四角形状の上記の例と同じ袋素材を、長手方向の中央部で二つ折りにし、開口している両側端部３ｃ，３ｄを熱溶着によって密閉して袋状に形成し、他の開口している一端部３ａから中にヌメリ防止用薬剤２を入れて、この開口している一端部３ａを熱溶着によって密閉し、さらに、この密閉した一端部３ａの近傍の側端部３ｃに切欠部３ｅを形成したものである。
【００２６】
この薬剤収納用袋３は、両端部３ａ，３ｂを薬剤収納ケース４の対向する箇所に形成した開口部９からそれぞれ外に出して（または上記開口部から外に引き出し可能に薬剤収納ケース４内に）設ける。
【００２７】
そして使用時に、薬剤収納用袋３の一端部３ａを切欠部３ｅから破り取るとともに、薬剤収納用袋３の他端部３ｂを薬剤収納ケース４から外方に引く。このことにより薬剤収納用袋３内のヌメリ防止用薬剤２は、開口した薬剤収納用袋３の一端部３ａから薬剤収納ケース４内に露出することになる。
【００２８】
このようにした後には、上記したように薬剤収納ケース４に一端部を結び付けてある紐１０(図６参照)を伸ばし、例えば流し台の排水口に設けたストレーナー１１の取っ手１２に紐１０を結び付けて、ヌメリ防止具１をストレーナー１１内に吊るし、このストレーナー１１を流し台の排水口に設置して使用すればよい。
【００２９】
この例のヌメリ防止具１も、説明を省略するが先に説明した例と同様の作用効果を奏することができる。
【図面の簡単な説明】
【００３０】
【図１】本発明にかかる一例のヌメリ防止具の平面図である。
【図２】本発明にかかる一例のヌメリ防止具の側面図である。
【図３】本発明にかかる一例の薬剤収納用袋の平面図である。
【図４】本発明にかかる一例の薬剤収納用袋の一端部を丸く折り畳んだ平面図である。
【図５】本発明にかかる一例の薬剤収納ケースの両カップ部を開けて中に、ヌメリ防止用薬剤を入れた薬剤収納用袋を収納した状態の平面図である。
【図６】本発明にかかるヌメリ防止具をストレーナーに取り付けた状態の説明図である。
【図７】本発明にかかる他の例のヌメリ防止具の平面図である。
【図８】本発明にかかる他の例の薬剤収納用袋の平面図である。
【符号の説明】
【００３１】
１      ヌメリ防止具
２      ヌメリ防止用薬剤
３      薬剤収納用袋
３ａ    端部
３ｂ    端部
４      薬剤収納ケース
９      開口部
９ａ    通気孔
【図１】
2006169869.tif 000003
【図２】
2006169869.tif 000004
【図３】
2006169869.tif 000005
【図４】
2006169869.tif 000006
【図５】
2006169869.tif 000007
【図６】
2006169869.tif 000008
【図７】
2006169869.tif 000009
【図８】
2006169869.tif 000010